(57)【要約】【課題】  不正解錠手段によって、サムターン装置のサムターン軸が解錠方向に回転できないようにした不正解錠を防止するサムターン装置の提供。【解決手段】  サムターン装置１０は、ハブ４を介してデッドボルト３を進退操作するサムターン軸１２と、このサムターン軸１２の基端部に設けられ、基端側へ突出するよう付勢されたロックピン２０と、サムターン軸１２を軸方向移動不能で回転可能に保持し、ロックピン２０の先端部が突入されることでサムターン軸１２の回転を規制する凹部３５が形成されたサムターン胴３０と、軸方向先端側に付勢された状態で、サムターン軸１２の基端部に軸方向移動可能に設けられ、ロックピン２０の基端側頭部を収容すると共に周方向回転に伴いロックピン２０をその付勢力に対抗して軸方向先端側へ移動させる頭部収容溝４４が形成されたツマミ４０とを備える。【選択図】      図３
2005061062.tif 000002
【特許請求の範囲】
【請求項１】
ハブを介してデッドボルトを進退操作するサムターン軸と、
サムターン軸を回転可能に保持するサムターン胴と、
サムターン軸の基端部に、サムターン軸の先端側に付勢されて設けられ、サムターン軸に対して一定の軸方向及び周方向の相対移動が可能なツマミと、
サムターン軸とサムターン胴との間に設けられ、ツマミとサムターン軸との相対移動によって作動し、サムターン胴に対するサムターン軸の相対回転を規制可能なロック手段とを備え、
このロック手段は、施錠状態において、
ツマミを引き出して回転させた際には、ツマミとサムターン軸との前記一定の相対回転によっても、サムターン軸とサムターン胴との相対回転を規制せずに、ツマミとサムターン軸との一体回転を許容する一方、
ツマミを引き出さずに回転させた際には、ツマミとサムターン軸との前記一定の相対回転により、サムターン軸とサムターン胴との相対回転を規制して、ツマミとサムターン軸との一体回転を阻止する
ことを特徴とするサムターン装置。
【請求項２】
ハブを介してデッドボルトを進退操作するサムターン軸と、
このサムターン軸の基端部に設けられ、基端側へ突出するよう付勢されたロックピンと、
サムターン軸を回転可能に保持し、ロックピンの先端部が突入されることでサムターン軸の回転を規制する凹部が形成されたサムターン胴と、
軸方向先端側に付勢された状態で、サムターン軸の基端部に軸方向移動可能に設けられ、ロックピンの基端側頭部を収容すると共に周方向回転に伴いロックピンをその付勢力に対抗して軸方向先端側へ移動させる頭部収容溝が形成されたツマミとを備え、
施錠状態において、ツマミをその付勢力に対抗して引き出して回転させた際には、頭部収容溝の作用でロックピンの先端部が前記凹部へ突入することなくツマミとサムターン軸とが一体回転する一方、ツマミを引き出さずに回転させた際には、頭部収容溝の作用でロックピンの先端部が前記凹部へ突入してツマミの回転が阻止される
ことを特徴とするサムターン装置。
【請求項３】
前記サムターン軸の基端部には、前記ツマミの先端部が差し込まれる差込穴が形成されており、
この差込穴にツマミの先端部が差し込まれた状態で、差込穴の外周部に形成されたピン規制穴に、ツマミ先端部の外周部から突出する連結ピンが差し込まれており、
このピン規制穴は、
連結ピンがサムターン軸の軸方向に移動するのを許容すると共に、
ツマミをその付勢力に対抗して引き出すことでロックピンを基端側へ移動させた状態から回転させた際に、頭部収容溝の作用でロックピンが前記凹部へ突入することなく、連結ピンを周方向端部に当接するまで相対回転させた後、その当接によりツマミとサムターン軸とを一体回転させ、
且つ施錠状態からツマミを引き出さずに回転させた際には、頭部収容溝の作用でロックピンが前記凹部へ突入するまで、連結ピンを周方向端部に当接せずにツマミをサムターン軸に対して相対回転させる寸法に形成されている
ことを特徴とする請求項２に記載のサムターン装置。
【請求項４】
前記サムターン胴には、軸方向に貫通して段付穴が形成されており、
この段付穴の基端側大径部にサムターン軸の基端側頭部が配置された状態で、前記段付穴の先端側小径部にサムターン軸の先端側軸部が軸方向移動を規制されて回転可能に差し込まれており、
前記段付穴の基端側大径部の先端面に、前記凹部が形成されており、
前記サムターン軸の基端側頭部に、サムターン軸の軸方向に貫通してピン挿通穴が形成されており、
このピン挿通穴に前記ロックピンがコイルバネを介して基端側に付勢された状態で設けられ、
前記ツマミの先端部は、段付円柱状に形成されており、その先端側小径部が前記サムターン軸の差込穴への差込部とされる一方、基端側大径部の先端面には、頭部収容溝が形成されており、
この頭部収容溝は、ツマミの周方向に沿ってＶ字状に形成されている
ことを特徴とする請求項３に記載のサムターン装置。
【請求項５】
請求項１から請求項４までのいずれかに記載のサムターン装置が備えられた扉錠又は扉。
【発明の詳細な説明】
【技術分野】
【０００１】
本発明は、不正な解錠を防止できるサムターン装置に関するものである。
【背景技術】
【０００２】
従来、一戸建てやマンション等の玄関扉の不正解錠行為の一つとして、扉錠を取り付けた扉と扉枠との隙間（いわゆるチリ）や扉に加工した穴に針金や紐等の不正解除手段を挿入し、この不正解除手段で室内側に取り付けてあるサムターン装置のサムターン軸を解錠方向に回転して、デッドボルトを後退して解錠するという不正解錠行為（いわゆるサムターン回し）が知られている。
【発明の開示】
【発明が解決しようとする課題】
【０００３】
しかしながら、上記のような不正解錠行為に対して、本願出願人が知るところでは、適切に対応した技術は存在しない。
【０００４】
本発明は、上記従来の問題を解決しようとするものであり、上記針金や紐等の不正解錠手段によっても、サムターン装置のサムターン軸が解錠方向に回転できないようにした不正解錠を防止するサムターン装置を提供することにある。
【課題を解決するための手段】
【０００５】
上記目的を達成するために、本発明のサムターン装置は、（Ａ）ハブを介してデッドボルトを進退操作するサムターン軸と、（Ｂ）サムターン軸を軸方向移動不能で回転可能に保持するサムターン胴と、（Ｃ）サムターン軸の基端部に、サムターン軸の先端側に付勢されて設けられ、サムターン軸に対して一定の軸方向及び周方向の相対移動が可能なツマミと、（Ｄ）サムターン軸とサムターン胴との間に設けられ、ツマミとサムターン軸との相対移動によって作動し、サムターン胴に対するサムターン軸の相対回転を規制可能なロック手段とを備え、このロック手段は、施錠状態において、ツマミを引き出して回転させた際には、ツマミとサムターン軸との前記一定の相対回転によっても、サムターン軸とサムターン胴との相対回転を規制せずに、ツマミとサムターン軸との一体回転を許容する一方、ツマミを引き出さずに回転させた際には、ツマミとサムターン軸との前記一定の相対回転により、サムターン軸とサムターン胴との相対回転を規制して、ツマミとサムターン軸との一体回転を阻止することを特徴とする。
【０００６】
また、上記目的を達成するために、本発明のサムターン装置は、（Ａ）ハブを介してデッドボルトを進退操作するサムターン軸と、（Ｂ）このサムターン軸の基端部に設けられ、基端側へ突出するよう付勢されたロックピンと、（Ｃ）サムターン軸を軸方向移動不能で回転可能に保持し、ロックピンの先端部が突入されることでサムターン軸の回転を規制する凹部が形成されたサムターン胴と、（Ｄ）軸方向先端側に付勢された状態で、サムターン軸の基端部に軸方向移動可能に設けられ、ロックピンの基端側頭部を収容すると共に周方向回転に伴いロックピンをその付勢力に対抗して軸方向先端側へ移動させる頭部収容溝が形成されたツマミとを備え、施錠状態において、ツマミをその付勢力に対抗して引き出して回転させた際には、頭部収容溝の作用でロックピンの先端部が前記凹部へ突入することなくツマミとサムターン軸とが一体回転する一方、ツマミを引き出さずに回転させた際には、頭部収容溝の作用でロックピンの先端部が前記凹部へ突入してツマミの回転が阻止されることを特徴とする。
【０００７】
また、好ましくは上記構成に加えて、前記サムターン軸の基端部には、前記ツマミの先端部が差し込まれる差込穴が形成されており、この差込穴にツマミの先端部が差し込まれた状態で、差込穴の外周部に形成されたピン規制穴に、ツマミ先端部の外周部から突出する連結ピンが差し込まれており、このピン規制穴は、連結ピンがサムターン軸の軸方向に移動するのを許容すると共に、ツマミをその付勢力に対抗して引き出すことでロックピンを基端側へ移動させた状態から回転させた際に、頭部収容溝の作用でロックピンが前記凹部へ突入することなく、連結ピンを周方向端部に当接するまで相対回転させた後、その当接によりツマミとサムターン軸とを一体回転させ、且つ施錠状態からツマミを引き出さずに回転させた際には、頭部収容溝の作用でロックピンが前記凹部へ突入するまで、連結ピンを周方向端部に当接せずにツマミをサムターン軸に対して相対回転させる寸法に形成されていることを特徴とするサムターン装置である。
【０００８】
また、好ましくは上記構成に加えて、前記サムターン胴には、軸方向に貫通して段付穴が形成されており、この段付穴の基端側大径部にサムターン軸の基端側頭部が配置された状態で、前記段付穴の先端側小径部にサムターン軸の先端側軸部が軸方向移動を規制されて回転可能に差し込まれており、前記段付穴の基端側大径部の先端面に、前記凹部が形成されており、前記サムターン軸の基端側頭部に、サムターン軸の軸方向に貫通してピン挿通穴が形成されており、このピン挿通穴に前記ロックピンがコイルバネを介して基端側に付勢された状態で設けられ、前記ツマミの先端部は、段付円柱状に形成されており、その先端側小径部が前記サムターン軸の差込穴への差込部とされる一方、基端側大径部の先端面には、頭部収容溝が形成されており、この頭部収容溝は、ツマミの周方向に沿ってＶ字状に形成されていることを特徴とするサムターン装置である。
さらに、本願発明は、上記各構成のいずれかのサムターン装置が備えられた扉錠又は扉である。
【発明の効果】
【０００９】
本発明のサムターン装置によれば、針金や紐等の不正解錠手段によって、サムターン装置のサムターン軸を解錠方向に回転させることができず不正解錠を防止することができる。
【発明を実施するための最良の形態】
【００１０】
以下、本発明のサムターン装置について、実施例に基づき更に詳細に説明する。
【００１１】
図１は、本発明のサムターン装置を備えた扉錠の縦断面図である。
また、図２は、図１の扉錠を示す図であり、（ａ）は室内側から見た正面図、（ｂ）は戸先側から見た側面図、（ｃ）は底面図である。
【００１２】
扉錠１は、従来公知の構造に、本発明のサムターン装置が取り付けられて構成され、箱状の錠ケース２を備えている。錠ケース２は、扉１００の戸先側端部の上下方向中央部に取り付けられる。図１に示すように、錠ケース２の戸先側端面に設けられたフロント裏板７が錠ケース取付ネジ９ａにより扉１００の戸先側端部に固定される。また、フロント裏板７にフロント板８が重ね合わされてフロント取付ネジ９ｂにより固定される。
【００１３】
錠ケース２には、扉１００を施解錠するデッドボルト３が設けられている。デッドボルト３は、錠ケース２の戸先側端面から出没可能とされており、そのデッドボルト３を出没させるためのハブ４やクリックモーション用バネ５等の出没操作機構が錠ケース２に内蔵されている。このクリックモーション用バネ５は、バネの付勢力が強い。なお、ハブ４は、錠ケース２に固定のハブ取付部材６に回転可能に保持されている。
【００１４】
また、図２に示すように、デッドボルト３の出没、つまり前進又は後退は、錠ケース２に連結するように取り付けられた室内側のサムターン装置１０のツマミ４０の操作、又は室外側のシリンダー錠６０の鍵の操作により行なわれる。
【００１５】
図１に示すように、錠ケース２の壁２ａ，２ａには、扉１００の幅方向に沿って細長い案内穴２ｂ，２ｂが穿設されており、この案内穴２ｂにデッドボルト３の後部に固定したピン３ａが、案内穴２ｂに沿って摺動可能に嵌挿されている。また、デッドボルト３の後方上部に形成された凹溝状の被係合部３ｂに、正逆回転動作するハブ４の凸状係合部４ａを係合するか否かにより、デッドボルト３が前進又は後退位置で保持される。
【００１６】
図３は、本実施例の扉錠の縦断面図であり、扉の厚さ方向に沿う線で切断した状態を示している。
図３に示すように、サムターン装置１０は、前記ハブ４に先端部が接続されるサムターン軸１２と、このサムターン軸１２を回転自在に軸受するサムターン胴３０と、サムターン軸１２の基端部に設けられサムターン軸１２を回転させるためのツマミ４０とを主要部として備える。
【００１７】
図４は、サムターン軸１２を示す図であり、（ａ）は正面図、（ｂ）はそのＡ―Ａ断面図、（ｃ）はそのＢ―Ｂ断面図である。
サムターン軸１２は、丸棒状の軸部１３と、軸部１３の基端に設けられ軸部１３より大径な円柱状の軸頭部１４とを備える。
【００１８】
軸部１３の先端部１３ａは、断面十字形状に形成されており、この部分１３ａがハブ４の十字状のハブ穴４ｂに回転方向に対して遊びがない状態で係合される（図１）。従って、サムターン軸１２に連結されるツマミ４０を回すと、サムターン軸１２の先端部１３ａがハブ４を介してデッドボルト３を進退させる。なお、軸部１３には、十字形状の先端部１３ａより基端側に周方向に凹溝１３ｂが形成されている。
【００１９】
軸頭部１４には、後述するツマミ４０の先端部が差し込まれる円形の差込穴１５が、基端面に開口して軸方向に形成されている。この差込穴１５の外周部には、ピン規制穴１６が形成されている。本実施例のピン規制穴１６は、軸頭部１４に径方向に貫通して形成されており、断面略矩形状である。ピン規制穴１６の大きさは、サムターン軸１２の軸方向に沿う寸法１６ａが、後述する連結ピン２６の径より大きく、また周方向に沿う寸法１６ｂも連結ピン２６の径より大きく形成されている。
【００２０】
さらに、軸頭部１４には、前記ピン規制穴１６と直交する径方向両端部に、軸方向に沿ってピン挿通穴１７，１７が貫通して形成されている。このピン挿通穴１７は、段付穴とされ、先端側が小径穴１８、基端側が大径穴１９とされる。
【００２１】
このピン挿通穴１７には、ロックピン２０が収容される。ロックピン２０は、段付円柱形状であり、その基端側大径部２１の基端部２１ａは半球状に形成されている（図７（ａ））。
ロックピン２０は、その先端側小径部２２にコイルバネ２４が通された状態でピン挿通穴１７に収容される。この際、先端側小径部２２は、ピン挿通穴１７の小径穴１８に差し込まれ、基端側大径部２１はピン挿通穴１７の大径穴１９に配置される。コイルバネ２４の先端側端部は、ピン挿通穴１７の大径穴先端面１９ａつまり段付部に配置され、コイルバネ２４の基端側端部は、ロックピン２０の大径部先端面２１ｂつまり段付部に配置される。これにより、ロックピン２０は、基端側に付勢された状態でピン挿通穴１７に収容される。よって、ロックピン２０は、基端側大径部２１の基端部がサムターン軸１２の軸頭部１４基端面１４ａより基端側に突出するよう付勢される。
【００２２】
図５は、サムターン胴を示す図であり、（ａ）は正面図、（ｂ）はそのＣ―Ｃ断面図である。
サムターン軸１２が差し込まれるサムターン胴３０は、円柱形状とされ、その軸心と偏心して段付穴３１が軸方向に貫通して形成されている。この段付穴３１は、先端側が小径穴３２、基端側が大径穴３３とされ、その大径穴３３の基端部はさらに拡径して形成されている（最大径穴３４）。小径穴３２及び大径穴３３は、サムターン軸１２の軸部１３及び軸頭部１４に対応した径とされている。
【００２３】
また、サムターン胴３０の大径穴３３の先端面３３ａの径方向両端部には、前記ロックピン２０の先端部を受入れ可能な凹部３５，３５が形成されている。この凹部３５は、ロックピン２０の先端側小径部２２の直径より一まわり大きい。
【００２４】
図３及び図７（ａ）に示すように、サムターン軸１２は、その軸部１３がサムターン胴３０の小径穴３２に差し込まれた状態で、軸頭部１４が大径穴３３に配置される。そして、サムターン軸１２の軸部１３の凹溝１３ｂにリング２５がはめ込まれて、リング２５の基端面２５ａがサムターン胴３０の先端面３０ａに当接することで、サムターン軸１２は、その基端側大径部１４と前記リング２５とで、軸方向の移動が規制されて位置決めされる。
【００２５】
サムターン軸１２の基端部に連結されるツマミ４０は、ツマミ中間ピース４１とツマミヘッド４６が接続されてなる。
図６は、ツマミ中間ピース４１を示す図であり、（ａ）は側面図、（ｂ）はそのＤ―Ｄ断面図、（ｃ）はそのＥ―Ｅ方向から見た図である。
【００２６】
ツマミ中間ピース４１は、基端側に開口した有底の開口部４２ａを有した筒部４２を備え、この筒部４２には、先端側に突出して円柱状の差込部４３が設けられている。筒部４２の外径は、サムターン軸１２の軸頭部１４とほぼ同径とされ、差込部４３は、サムターン軸１２に形成された差込穴１５に差込可能とされる。差込部４３には、径方向に沿って連結ピン２６が差し込まれる貫通穴４３ａが形成されている。
【００２７】
筒部４２の先端面には、その径方向両端部に、ロックピン２０の基端側頭部を収容する頭部収容溝４４，４４が形成されている。本実施例の頭部収容溝４４は、基端側から先端側に行くに従って周方向に拡幅するＶ字状の溝とされている。
【００２８】
筒部４２には、頭部収容溝４４より基端側に、径方向外側に突出してフランジ４５が形成されている。このフランジ４５の外径は、サムターン胴３０の最大径穴３４と対応している。また、筒部４２には、その開口部４２ａを介して径方向に沿って固定ピン２８が差し込まれる貫通穴４２ｂが形成されている。
【００２９】
ツマミ中間ピース４１は、その差込部４３がサムターン軸１２の差込穴１５に差し込まれ、差込部４３の貫通穴４３ａに通される連結ピン２６の長手方向両端部がサムターン軸１２のピン規制穴１６に突入されることでサムターン軸１２に連結される。この際、筒部４２に形成されたフランジ４５は、サムターン胴３０の最大径穴３４に配置される。なお、連結ピン２６の軸方向寸法は、差込穴１５の直径より長く、サムターン胴３０の大径穴３３の径より若干短い。
【００３０】
ツマミ中間ピース４１がサムターン軸１２に連結された状態では、ツマミ中間ピース４１の頭部収容溝４４に、サムターン軸１２のピン挿通穴１７に収容されたロックピン２０の基端側大径部２１の基端部２１ａが差し込まれる。すなわち、ロックピン２０の基端側大径部２１の半球状部２１ａは、頭部収容溝４４の傾斜面４４ａ，４４ａ間に当接して配置される。
【００３１】
また、ツマミ中間ピース４１の筒部４２には、外周部にコイルバネ２７が通される。このコイルバネ２７は、筒部４２とサムターン胴３０の最大径穴３４の内周面との隙間に配置される。コイルバネ２７の先端部は、ツマミ中間ピース４１のフランジ４５の基端面４５ａに当接される。コイルバネ２７の基端部は、サムターン胴３０の基端部に設けられるキャップ５０に当接される。
【００３２】
図３に示すように、キャップ５０は、サムターン胴３０の基端部を覆うように設けられる。このキャップ５０は、サムターン胴３０の基端面に重ね合わされる円板状の板片５１と、この板片５１の外周端部から先端側へ突出する円筒状の外片５２と、前記板片５１に形成された穴の内周端部から先端側へ突出する円筒状の内片５３とからなる。なお、外片５２は、内片５３より長い。このキャップ５０の各片５１，５２，５３で構成される環状溝５４にサムターン胴３０の基端部がはめ込まれ、キャップ５０とサムターン胴３０とは固定される。そして、内片５３の先端部５３ａに前記コイルバネ２７の基端部が当接される。
【００３３】
このようにしてコイルバネ２７が圧縮状態で配置されることで、ツマミ中間ピース４１は、先端側に付勢される。これにより、ツマミ中間ピース４１のフランジ４５は、最大径穴３４の先端面３４ａに押し付けられるよう付勢される。フランジ４５の先端面４５ｂがサムターン胴３０の最大径穴３４の先端面３４ａに当接された状態では、連結ピン２６は、ピン規制穴１６の先端側端面中央に当接されている。
なお、このコイルバネ２７の伸縮力は、ロックピン２０に通されたコイルバネ２４より強いので、ロックピン２０の付勢力によってツマミ中間ピース４１が基端側へ移動することはない。
【００３４】
ところで、上述したようにピン規制穴１６は略矩形状とされており、サムターン軸１２の軸方向に沿う寸法１６ａが連結ピン２６の径より大きく形成されている。よって、ツマミ中間ピース４１は、コイルバネ２７の付勢力に対抗して、サムターン軸１２に対して基端側に引き出し可能である。また、ピン規制穴１６は、周方向の寸法１６ｂも連結ピン２６の径より大きく形成されているので、ツマミ中間ピース４１は、サムターン軸１２に対して周方向に若干相対回転可能とされている。
【００３５】
ツマミ中間ピース４１に連結されるツマミヘッド４６は、例えば断面楕円形の柱状であり、基端部４６ａは円弧状に滑らかに形成されている。ツマミヘッド４６の先端面中央には、先端側に突出して段付円柱状の接続部４７が形成されている。接続部４７の先端側小径部４８には、その径方向に固定ピン２８が通される貫通穴４８ａが形成されている。
ツマミヘッド４６は、接続部４７の先端側小径部４８がツマミ中間ピース４１の開口部４２ａに差し込まれ固定ピン２８により連結される。この際、接続部４７の基端側大径部４９の先端面４９ａは、ツマミ中間ピース４１の筒部４２基端面に当接している。
【００３６】
サムターン胴３０の周囲には、筒状のサムターンカラー５５が設けられる。このサムターンカラー５５の外周面５５ａは、基端側から先端側に行くに従って拡径している。また、内周面先端部は、径方向内側へ環状に突出（５６）している。また、サムターンカラー５５の先端面５５ｂは、扉１００の室内側面に当接して設けられる。
【００３７】
サムターンカラー５５の内周面突出部５６とキャップ５０の外片５２の先端部との間には、コイルバネ２９が配置され、サムターンカラー５５は、扉１００側に付勢された状態で取り付けられる。サムターンカラー５５は、軸方向に移動可能であり、コイルバネ２９の伸縮を利用して扉１００の厚さの変化に対応することが可能とされる。
【００３８】
なお、上述したように、サムターン軸１２とツマミ中間ピース４１との間、及びツマミ中間ピース４１とツマミヘッド４６との間には、それぞれピン２６，２８が差し込まれる。そして、その状態で、各部材はサムターン胴３０に収容されて、サムターン軸１２の先端部にリング２５が設けられることで、サムターン軸１２、ツマミ中間ピース４１及びツマミヘッド４６の位置決めがなされ、且つ各ピン２６，２８がサムターン胴３０内に配置されることでその脱落が防止される。
【００３９】
シリンダー錠６０は、従来公知の構成を採用できる。
例えば、図３に示すように、シリンダー錠６０は、扉１００に貫通した取付穴１０１に前記サムターン装置１０と同軸的に取り付けてあり、公知の如く、鍵穴６２を有する内筒６１と、内筒６１を回転可能に嵌挿した外筒６３と、外筒６３を被覆するカラー６４とを備えている。また、内筒６１と外筒６３とには、複数の下ピン穴６５又は上ピン穴６６が両者が連通するように形成され、下ピン穴６５に下ピン６７が上ピン穴６６に上ピン６８がそれぞれ挿入され、鍵（図示せず）を鍵穴６２に差し込んでいない状態、又は鍵が適合していない状態のときには、ピンバネ６９の付勢力によって上下両ピンの境界線は、内筒６１と外筒６３のシェアラインと不一致であるため、内筒６１を回転することができない。鍵穴６２に適合する鍵を挿入した場合には、上下両ピンの境界線と内筒６１と外筒６３とのシェアラインとが一致するため内筒６１を回転することができ、ハブ４を操作してデッドボルト３を出没して施解錠できるようになっている。なお、ハブ４を操作するための操作杆７０が内筒６１の室内側端部に設置されている。この操作杆７０とハブ４のハブ穴４ｂとの係合状態は、回転方向に約９０度のアソビを設けるようにして係合してある。このことにより、シリンダー錠６０の操作杆７０とは無関係に、サムターン装置１０によってデッドボルト３の出没作動を行うことができる。
【００４０】
このような構成のサムターン装置の施解錠方法について説明する。
図７は、解錠状態のサムターン装置を示す図であり、（ａ）は縦断面図、（ｂ）は横断面図、（ｃ）は室内側から見た図、（ｄ）は室外側から見た図であり、（ｃ）及び（ｄ）は一部を省略して示している。また、図８は、施錠状態のサムターン装置を示す図であり、（ａ）は縦断面図、（ｂ）は横断面図、（ｃ）は室内側から見た図、（ｄ）は室外側から見た図であり、（ｃ）及び（ｄ）は一部を省略して示している。
【００４１】
図７に示すように、本実施例では、室内側から見た際、サムターン胴３０の左右二箇所に凹部３５，３５が配置されている。また、その解錠状態においては、サムターン軸１２の軸頭部１４に設けられた２つのロックピン２０，２０は、上下に配置されている。
【００４２】
帰宅時や就寝時など室内側から施錠する場合、ツマミヘッド４６をつまんで、左右いずれかの方向へ９０度回転させる。例えば、時計回りに９０度回転させる。
ツマミヘッド４６とツマミ中間ピース４１とは固定ピン２８により一体化されているので、ツマミヘッド４６を回転させることでツマミ中間ピース４１も一体的に回転する。そして、解錠状態からの施錠時には、ツマミ中間ピース４１が接続されているサムターン軸１２もほぼ一体的に回転し、そして、十字形状の先端部１３ａによりハブ４を回転させてデッドボルト３を突出させて施錠する。このように、施錠する方法は従来と変わらない。
【００４３】
ところで、ツマミ中間ピース４１が回転し始める際、ツマミ中間ピース４１の頭部収容溝４４の傾斜面４４ａによりロックピン２０には、先端側へ押し出される力がかかる。しかし、上述したように、解錠状態ではサムターン胴３０の凹部３５とロックピン２０とが９０度ずれて配置されていることに伴い、ロックピン２０の先端側小径部２２が凹部３５へ突入することはない。つまり、ロックピン２０の先端側小径部２２がサムターン胴３０の大径穴先端面３３ａに当接することで、ロックピン２０はそれ以上先端側に移動することができず、ツマミ中間ピース４１とサムターン軸１２とは一体的に回転する。これにより、図８に示すように、凹部３５とロックピン２０が対応した位置の施錠状態に移行する。このとき、ロックピン２０は常に基端側にバネ２４により付勢されているので凹部３５には進入しない。
なお、室外側からシリンダー錠６０に鍵を差し込んで施錠する場合も同様に施錠することができる。
【００４４】
次に、施錠状態からの解錠方法について説明する。本実施例のサムターン装置の場合、従来のように単にツマミ４０を、例えば反時計回りに９０度回転させるだけでは、解錠することはできない。この点について、具体的に説明する。
【００４５】
図９は、ツマミ４０を引き出さずに従来のように単に回転させようとした場合の状態を示す図であり、（ａ）は縦断面図、（ｂ）は横断面図、（ｃ）は室内側から見た図であり一部を省略して示している。
【００４６】
図８の施錠状態から解錠するためにツマミヘッド４６を反時計回りに回転させると、施錠する際と同様に、ツマミ中間ピース４１も一体回転し始める。解錠する為には、その回転力をサムターン軸１２に伝えて一体回転させなければならないが、サムターン軸１２に形成されたピン規制穴１６が連結ピン２６の軸径より大きいので、連結ピン２６の端部がピン規制穴１６の周方向の端面に当接するまでのアソビ分、ツマミ４０はサムターン軸１２に対して相対回転する。
【００４７】
ツマミ４０がサムターン軸１２に対して相対回転することで、頭部収容溝４４の傾斜面４４ａの作用により、ロックピン２０は先端側に押し出されていく。なお、ツマミ中間ピース４１の頭部収容溝４４とロックピン２０の基端部２１ａとの当接部において、回転力がサムターン軸１２に若干伝達されるが、サムターン軸１２の先端側に設けられたデッドボルト進退用のクリックモーション用バネ５の力が強いので、室内側からのこの当接部を介した回転力ではサムターン軸１２を回転させることはできない。
【００４８】
このようにして、頭部収容溝４４の傾斜面４４ａに沿ってロックピン２０は先端側へ移動していく。ここで、各ロックピン２０，２０とサムターン胴３０に形成された凹部３５，３５とは、同軸上に配置されているので、図９に示すように、ロックピン２０の先端側小径部２２は、凹部３５に進入する。これにより、サムターン軸１２と固定部であるサムターン胴３０とがロックピン２０を介して一体化され、ツマミ４０をこれ以上回転させることができず解錠することは不可能となる。
【００４９】
このように、単にツマミ４０を回転させるだけでは解錠することはできない。従って、工具等を使用したサムターン回しによる不正解錠が防止される。
解錠させるためには、ツマミヘッド４６を摘んでコイルバネ２７の付勢力に抗して室内側（基端側）に引き出して回転させる必要がある。ツマミヘッド４６を引き出すことで、ツマミ中間ピース４１も一体的に引き出され、頭部収容溝４４にその基端部２１ａが配置されているロックピン２０もバネ２４の付勢力により基端側に移動する。
【００５０】
この状態でツマミヘッド４６を解錠方向に回転させると、先程と同様に回転開始直後は、ツマミ中間ピース４１がサムターン軸１２に対して空回りして、ロックピン２０が先端側に押し出される。しかし、ロックピン２０は、予め基端側にある程度引き出されているので、ロックピン２０が先端側に移動しても、その先端側小径部２２がサムターン胴３０の凹部３５に進入することはない。しかも、ある程度の相対回転があると、連結ピン２６の端部がピン規制穴１６の周方向端面に当接する。これによりツマミ４０とサムターン軸１２が一体回転し、デッドボルト３を後退させて解錠することができる。解錠したならツマミヘッド４６を離すことで、コイルバネ２７の付勢力によりツマミヘッド４６は、先端側に押し戻され、図７の状態へ戻る。
【００５１】
ところで、室外側から鍵により解錠しようとした場合、シリンダー錠６０の操作杆７０によりハブ４が回転され、ハブ穴４ｂにアソビが無く係合されているサムターン軸１２の十字形状の先端部１３ａがハブ４と一体的に回転され、サムターン軸１２が回転する。この時、ロックピン２０と頭部収容溝４４との当接部にも回転力が伝達され、ツマミ４０も一体回転する。このように、シリンダー錠６０からの解錠の場合は、ロックピン２０が凹部３５に差し込まれることなくサムターン軸１２、ツマミ中間ピース４１及びツマミヘッド４６が一体回転し、従前通りの解錠が可能である。
【００５２】
このような構成により、本実施例のサムターン装置のツマミを回転させるためには、ツマミを室内側に引っ張ってから回転する必要がある。従って、室外側から針金等を差し込んで単にツマミを回転させるような不正解錠方法では解錠させることができない。
【００５３】
なお、本発明のサムターン装置は、上記実施例の構成に限らず、適宜変更可能である。例えば、ツマミをツマミ中間ピースとツマミヘッドとに分離しているが、一体形成としても構わない。
【図面の簡単な説明】
【００５４】
【図１】本発明のサムターン装置を備えた扉錠の縦断面図である。
【図２】図１の扉錠を示す図であり、（ａ）は室内側から見た正面図、（ｂ）は戸先側から見た側面図、（ｃ）は底面図である。
【図３】図２の扉錠の縦断面図であり、扉の厚さ方向に沿う線で切断した状態を示している。
【図４】サムターン軸を示す図であり、（ａ）は正面図、（ｂ）はそのＡ―Ａ断面図、（ｃ）はそのＢ―Ｂ断面図である。
【図５】サムターン胴を示す図であり、（ａ）は正面図、（ｂ）はそのＣ―Ｃ断面図である。
【図６】ツマミ中間ピースを示す図であり、（ａ）は側面図、（ｂ）はそのＤ―Ｄ断面図、（ｃ）はそのＥ―Ｅ方向から見た図である。
【図７】解錠状態のサムターン装置を示す図であり、（ａ）は縦断面図、（ｂ）は横断面図、（ｃ）は室内側から見た図、（ｄ）は室外側から見た図であり、（ｃ）及び（ｄ）は一部を省略して示している。
【図８】施錠状態のサムターン装置を示す図であり、（ａ）は縦断面図、（ｂ）は横断面図、（ｃ）は室内側から見た図、（ｄ）は室外側から見た図であり、（ｃ）及び（ｄ）は一部を省略して示している。
【図９】ツマミを引き出さずに回転させようとしている状態を示す図であり、（ａ）は縦断面図、（ｂ）は横断面図、（ｃ）は室内側から見た図であり一部を省略して示している。
【符号の説明】
【００５５】
１  扉錠
３  デッドボルト
４  ハブ
５  クリックモーション用バネ
１０  サムターン装置
１２  サムターン軸
１３  軸部
１４  軸頭部
１５  差込穴
１６  ピン規制穴
１７  ピン挿通穴
２０  ロックピン
２１  基端側大径部
２２  先端側小径部
２４  コイルバネ
２６  連結ピン
３０  サムターン胴
３１  段付穴
３２  小径穴
３３  大径穴
３５  凹部
４０  ツマミ
４１  ツマミ中間ピース
４２  筒部
４３  差込部
４４  頭部収容溝
４６  ツマミヘッド
４６ａ  基端部
４７  接続部
５０  キャップ
５５  サムターンカラー
６０  シリンダー錠
６１  内筒
６２  鍵穴
６３  外筒
６４  カラー
６５  下ピン穴
６６  上ピン穴
６７  下ピン
６８  上ピン
６９  ピンバネ
７０  操作杆
１００  扉
【図１】
2005061062.tif 000003
【図２】
2005061062.tif 000004
【図３】
2005061062.tif 000005
【図４】
2005061062.tif 000006
【図５】
2005061062.tif 000007
【図６】
2005061062.tif 000008
【図７】
2005061062.tif 000009
【図８】
2005061062.tif 000010
【図９】
2005061062.tif 000011